(57)【要約】【課題】  電子機器の大きさ、厚みに対応してスライドファスナを閉めることができる汎用性の良い収納鞄の提供。【解決手段】  鞄本体における電子機器の収納側に、収納する電子機器が接触するクッション材を設けて、スライドファスナによって鞄本体が開閉される収納鞄であって、クッション材に、電子機器と接触してスライドファスナを閉めることで電子機器から押圧力を受けて後退するよう変形する凸部が複数形成されている構成を有する。【選択図】  図３
0003126048.tif 000002
【実用新案登録請求の範囲】
【請求項１】
鞄本体における電子機器の収納側に、収納する電子機器が接触するクッション材を設けて、スライドファスナによって鞄本体が開閉される収納鞄であって、前記クッション材に、電子機器と接触してスライドファスナを閉めることで電子機器から押圧力を受けて後退するよう変形する凸部が複数形成されていることを特徴とする収納鞄。
【請求項２】
鞄本体は伸縮性を有する素材から形成されていることを特徴とする請求項１記載の収納鞄。
【請求項３】
クッション材は、鞄本体の電子機器収納側全域に設けられていることを特徴とする請求項１または請求項２記載の収納鞄。
【請求項４】
凸部は、電子機器に接触可能な面が半球状に形成され、且つ凸部は縦横に等間隔で多数並べられていることを特徴とする請求項１ないし請求項３の何れかに記載の収納鞄。
【請求項５】
クッション材は平板状のマット体とその表面に形成された凸部とから形成されており、凸部の間はマット体の表面までくぼむ凹部とされていることを特徴とする請求項４記載の収納鞄。
【考案の詳細な説明】
【技術分野】
【０００１】
本考案は、ノート型のパーソナルコンピュータ等の電子機器の収納鞄に関する。
【背景技術】
【０００２】
一般に、ノート型のパーソナルコンピュータ（以下「パソコン」という）や、ポータブルＣＤドライブ、ポータブルＤＶＤドライブ、ポータブルＨＤドライブ、ＡＣアダプタ・ケーブル、マウス等の電子機器は衝撃に敏感であるため、運搬時等にはなるべく衝撃を与えないようにすることが好ましい。このため、下記特許文献１に示すように、これら電子機器を収納して運搬するための収納鞄には、電子機器を収納した際に接触するよう内部に、電子機器との接触面を平面としたクッション材を設け、スライドファスナで開閉するようにしている。
【特許文献１】特開２００３−２３０４１７号公報
【考案の開示】
【考案が解決しようとする課題】
【０００３】
しかしながら、上記従来の収納鞄では、クッション材における電子機器との接触面は平面であり、スライドファスナのテープ部のまちの深さは決まっているから、電子機器の大きさ、厚みによっては、スライドファスナを閉じる際に大きな力が必要になったり、あるいは電子機器の大きさによっては閉められなくなったりする場合が発生していた。
【０００４】
そこで本考案は、上記課題に鑑み、電子機器の大きさ、厚みに対応してスライドファスナを閉めることができる汎用性の良い収納鞄の提供を課題とする。
【課題を解決するための手段】
【０００５】
本考案の収納鞄は、鞄本体における電子機器の収納側に、収納する電子機器が接触するクッション材を設けて、スライドファスナによって鞄本体が開閉される収納鞄であって、前記クッション材に、電子機器と接触してスライドファスナを閉めることで電子機器から押圧力を受けて後退するよう変形する凸部が複数形成されていることを特徴としている。
【０００６】
上記構成において、鞄本体に、電子機器を入れ、スライドファスナを閉めると、鞄本体およびクッション材に電子機器が覆われて保護される。スライドファスナを閉めるとき、そのテープ部のまちの深さは一定であるが、クッション材の凸部がスライドファスナを閉める力、すなわち電子機器の厚みや大きさに応じて後退することになるから、収納する電子機器の厚みや大きさに応じてスライドファスナが楽に閉められるようになる。
【０００７】
本発明の収納鞄では、鞄本体は伸縮性を有する素材から形成されていることを特徴としている。この構成によれば、スライドファスナを閉じて電子機器を鞄本体に収納する際に、鞄本体の伸縮性によって電子機器の厚みや大きさに相当する分の一部が吸収されることになるから、クッション材の凸部が後退することと相まって、スライドファスナがその分だけ楽に閉められる。
【０００８】
本考案における収納鞄のクッション材は、鞄本体の収納側全域に設けられていることを特徴としている。このような構成によれば、ノート型のパーソナルコンピュータ等の大きな面積の電子機器にも対応可能であり、スライドファスナを閉めるとき、その厚みに応じて突起が後退するからスライドファスナが楽に閉められる。
【０００９】
本考案における収納鞄では、凸部は、電子機器に接触可能な面が半球状に形成され、且つ凸部は縦横に等間隔で多数並べられていることを特徴としている。
【００１０】
上記構成によれば、凸部は等間隔に配置されているから、凸部によって電子機器を等間隔で支持することになって電子機器をクッション材との接触面においてほぼ均等な支持力をもって安定して支持するようになる。
【００１１】
本考案の収納鞄では、クッション材は平板状のマット体とその表面に形成された凸部とから形成されており、凸部の間はマット体の表面までくぼむ凹部とされていることを特徴としている。
【００１２】
上記構成によれば、クッション材はマット体の表面に凸部を形成するだけで容易に形成することが可能であり、凸部は電子機器が接触し、スライドファスナを閉めることで凹部側に広がるようにして後退するようになる。
【考案の効果】
【００１３】
本考案の収納鞄によれば、鞄本体に電子機器を入れてスライドファスナを閉めると、クッション材の凸部がスライドファスナを閉める力に応じて後退することになるから、スライドファスナのテープ部のまちの深さが一定であっても、収納する電子機器の厚みや大きさに対応できるようになって、スライドファスナが楽に閉められるようになる。
【考案を実施するための最良の形態】
【００１４】
本考案に係る収納鞄は、収納物である電子機器として、ノート型のパーソナルコンピュータ（以下「パソコン」という）や、ポータブルＣＤドライブ、ポータブルＤＶＤドライブ、ポータブルＨＤドライブ、ＡＣアダプタ・ケーブル、マウス等が考えられるが、この実施形態では、ノート型のパソコンを例に説明する。
【００１５】
図１はパソコンを仮想線で表した収納鞄の全体斜視図、図２はパソコンを仮想線で表して鞄本体を開放した状態の斜視図、図３は収納鞄単体の断面図、図４はパソコンを仮想線で表して収納鞄のクッション材で挟んだ状態の断面図、図５はパソコンをクッション材で挟んでスライドファスナを途中まで閉めた状態の断面図、図６はパソコンをクッション材で挟んでスライドファスナを完全に閉じた状態の断面図である。なお、収納鞄は収納する電子機器（この場合、パソコン）に応じたサイズのものを準備することが好ましい。
【００１６】
これらの図に示すように、収納鞄１は、パソコン２を収納して運搬するように用いられるもので、鞄本体３とクッション材４Ａ，４Ｂとスライドファスナ５とを有する。鞄本体３はスライドファスナ５を閉じた状態で直方体形状に形成されるもので、内部に収納空間６を有し、略矩形の一側面７と他側面８と一側面７および他側面８を連続させて所定の深さ（厚み）を有する枠面１０とを有する。一側面７と他側面８を構成する素材は、柔軟性および伸縮性を有する合成樹脂から形成されている。
【００１７】
鞄本体３は、スライドファスナ５によって厚み方向で二つ割りにされた一側矩形本体１１と他側矩形本体１２とを有している。一側矩形本体１１および他側矩形本体１２は、それぞれスライドファスナ５のテープ部１３，１４分に相当する深さを有し、一辺部どうしをつなぎ生地１５によって連結されている。そして、該つなぎ生地１５が一側矩形本体１１および他側矩形本体１２の回動開閉中心となって、つなぎ生地１５を折畳むようにし、一側矩形本体１１および他側矩形本体１２の内側どうしを合わせるようにして、スライドファスナ５を閉じることで、収納空間６が外部と区画されるよう構成されている。
【００１８】
一側矩形本体１１と他側矩形本体１２の収納空間６となる領域それぞれに、前記クッション材４Ａ，４Ｂが装着されている。クッション材４Ａ，４Ｂは、収納空間６の形状に沿うようその全域に亙って装着されている。クッション材４Ａ，４Ｂは平板状のマット体部１６とその表面（パソコン２を挟む側）に形成された多数の凸部１７とから形成されている。
【００１９】
各凸部１７は、パソコン２に接触可能な面が半球状に形成され、且つ凸部１７は縦横に等間隔で多数並べられている。この場合、凸部１７は一側矩形本体１１および他側矩形本体１２のそれぞれの仮想対角線に沿う線上に整然と並べられることで縦横に等間隔で多数並べられている。仮想対角線に沿う凸部１７によって構成される凸部群１８の間には、マット体部１７の表面１７ａまでくぼんだ複数の凹部２０によって形成される凹部群２１が、凸部群１８に並ぶよう配置されている。
【００２０】
枠面１０は、スライドファスナ５のテープ部１３，１４によって構成されている。一側面７および他側面８のそれぞれの外周部とテープ部１３，１４は、それぞれフレーム状の補強枠２３，２４を介して縫着により一体化されている。なお、スライドファスナ５のテープ部１３，１４は、一側矩形本体１１および他側矩形本体１２のつなぎ生地１５を除く外周部に縫着されている。
【００２１】
一側面７および他側面８のそれぞれの外周端部７ａ，８ａ、補強枠２３，２４の端部２３ａ，２４ａ、テープ部１３，１４の端部１３ａ，１４ａは、パソコン２を挟む側を被覆生地２７によって被覆されている。この被覆生地２７の外方側一端部２７ａはテープ部１３，１４に重ねられ、被覆生地２７の内方側他端部２７ｂはクッション材４Ａ，４Ｂの外方側端部４ａ，４ｂに重ねられ、一側面７および他側面８のそれぞれの外周端部７ａ，８ａ、補強枠２３，２４の端部２３ａ，２４ａ、テープ部１３，１４の端部１３ａ，１４ａ、クッション材４Ａ，４Ｂの外方側端部４ａ，４ｂは、被覆生地２７との縫着により一体化されている。
【００２２】
なお、クッション材４Ａ，４Ｂは発泡ウレタン等の弾性に富んだ材料から形成されており、さらにその表面には、パソコン２の外面に当接した場合にでもパソコン２を傷付けることなく、しかも弾性に富んだ保護生地３０が貼着等により固着されている。すなわちこの保護生地３０はクッション材４Ａ，４Ｂの凹凸形状に沿う断面形状となっている。
【００２３】
上記構成において、収納鞄１を使用する場合は、スライドファスナ５のスライダ５ａを把持してエレメント５ｂ，５ｃどうしの噛合を解除することで一側矩形本体１１と他側矩形本体１２とを、つなぎ生地１５を中心に開閉することが可能となる。
【００２４】
ここでパソコン２を一側矩形本体１１側のクッション材４Ａに載置すると、その重さにより図４に示すように、凸部１７（凸部群１８）がその重さに応じた分だけ潰れて後退するようになる。次に、つなぎ生地１５を中心に他側矩形本体１２を回動させてパソコン２に被せるようにし、スライドファスナ５のスライダ５ａをエレメント５ｂ，５ｃどうしが噛合するようスライドさせる。
【００２５】
このとき、スライドファスナ５のテープ部１３，１４の幅（枠面１０の深さ）とパソコン２の厚みとの関係においてパソコン２の厚みが比較的大きいような場合では、スライドファスナ５のスライダ５ａを閉じてエレメント５ｂ，５ｃどうしを噛合させる際に、大きな力を必要とすることが考えられるが、この実施形態では、クッション材４Ａ，４Ｂに、外力を受けた際に後退する凸部１７（凸部群１８）を形成しているから、スライドファスナ５のテープ部１３，１４の幅とパソコン２の厚みとの関係においてパソコン２の厚みが比較的大きい場合であっても、図５に示すようにスライドファスナ５のスライダ５ａを鞄本体３の外周に沿って閉じると、テープ部１３，１４の端部１３ａ，１４ａ、一側面７および他側面８のそれぞれの外周端部７ａ，８ａ、クッション材４Ａ，４Ｂの外方側端部４ａ，４ｂは一体になっているから、その閉じる力がクッション材４Ａ，４Ｂに伝わってパソコン２を両側から挟持し、その閉じる力に応じて（パソコン２の厚みに応じて）、パソコン２に接触している凸部１７の肉が凹部２０に流れるようにして潰れて後退し、図６に示すように、パソコン２をクッション材４Ａ，４Ｂの弾性によって保持することができる。このとき、パソコン２は、その面積に応じた多数の凸部１７によって弾性的に支持され、しかも凸部１７は縦横に整然と配列している。したがって、パソコン２は直接的にはこれらの凸部１７によって、間接的には凸部１７からの押圧力を大きな支持面積を有する平板状のマット体部１６によって支持されるから、収納鞄１の軽量化を損なうことなく安定した支持が行われることになる。
【００２６】
さらに、鞄本体３の一側面７と他側面８を構成する素材は、柔軟性および伸縮性を有しているから、パソコン２の収納に伴いクッション材４Ａ，４Ｂのマット体部１６が弾性変形したような場合に、マット体部１６の弾性変形に倣って鞄本体３の一側面７と他側面８が変形し、あるいは伸縮してパソコン２の厚みの一部に相当する分を吸収するようになるから、スライドファスナ５のテープ部１３，１４の幅とパソコン２の厚みとの関係においてパソコン２の厚みが比較的大きい場合であっても、スライドファスナ５を楽に閉められることになる。このことは、収納物としての電子機器がパソコン２のように凸部１７が平坦な面に当接する場合に限らず、後述するような曲面を有する電子機器を保持する場合や、パソコン２に比べて小さいサイズの電子機器を保持する場合でも同様である。
【００２７】
このように、クッション材４Ａ，４Ｂの表面に凸部１７を多数形成してパソコン２を平坦面で支持するのではなく、これら凸部１７で直接的に支持することにより、スライドファスナ５のテープ部１３，１４が一定であって、厚みの厚いパソコン２を収納する場合でもスライドファスナ５の開閉操作を楽に行うことができ、したがって、ひとつの収納鞄１で、厚みの異なるパソコン２に対応できるため、汎用性が向上する。
【００２８】
図７は別の実施形態を示す断面図である。図７で示す実施形態と図１ないし図６で示した実施形態とが異なる部分は、クッション材４Ａ，４Ｂの断面形状である。図１ないし図６で示した実施形態では、クッション材４Ａ，４Ｂは平板状のマット体部１６とその表面に形成された多数の凸部１７とからなるものを示した。しかしながらこれに限定されるものではなく、本考案のクッション材４Ａ，４Ｂは、マット体部１６を設けることなく、凸部１７および凹部２０を縦横に整然と並べることで構成することも可能である。この実施形態では、凹部２０の最奥部を、一側面７および他側面８でそれぞれ支持するようにしている。他の構成は上記図１ないし図６に示した実施形態と同様であるので、同一の符号を付してその説明を省略する。
【００２９】
この実施形態においては、マット体部１６がない分だけパソコン２の収納時に凸部１７が大きく後退するものである。これによって、パソコン２の厚みが厚かったとしても、スライドファスナ５の開閉を小さな力で楽に行うことができる。
【００３０】
図８にさらに別の実施形態を示す。図１ないし図７で示した各実施形態では、クッション材４Ａ，４Ｂの各凸部１７は、一側矩形本体１１および他側矩形本体１２のそれぞれの仮想対角線に沿う線上に整然と並べられ、凸部群１８の間に複数の凹部２０によって形成される凹部群２１を、凸部群１８に並ぶよう配置した。これに対して図８で示すクッション材４Ａ，４Ｂでは、凸部１７は一側矩形本体１１および他側矩形本体１２のそれぞれの縁部に沿って平行に並べた凸部群１８と、凸部群１８と平行に並べた複数の凹部２０からなる凹部群２１とを有する。他の構成は上記各実施形態と同様であるので、同一の符号を付してその説明を省略する。
【００３１】
上記構成において、パソコン２の厚みが厚くても、スライドファスナ５のスライダ５ａをスライドさせると凸部１７がパソコン２から押圧力をうけて後退するように弾性変形するから、スライダ５ａのスライド操作を楽に行うことができる。
【００３２】
上記各実施形態では、電子機器としてパソコン２を例に説明したが、実施形態の冒頭で述べたように、電子機器としてはパソコン２に限定されるものではなく、ポータブルＣＤドライブ、ポータブルＤＶＤドライブ、ポータブルＨＤドライブ、ＡＣアダプタ・ケーブル、マウス等を鞄本体３は内部に収納空間６に収納する際に、これら電子部品から押圧力を受けて凸部１７が後退することで、スライダ５ａの操作が楽に行える。
【００３３】
また、上記各実施形態では凸部１７における電子機器への接触面は半球状に形成して、これらを縦横に整然と並べた構成としたが、凸部１７の形状はこれに限定されるものではなく、図示しないが、縦方向または横方向に連続した突条形状に形成し、このような凸部１７の間を溝状の凹部２０とすることも可能であり、このような凸部１７、凹部２０によっても電子機器を安定して支持することができる。
【図面の簡単な説明】
【００３４】
【図１】本考案の実施形態においてパソコンを仮想線で表した収納鞄の全体斜視図
【図２】同じくパソコンを仮想線で表して鞄本体を開放した状態の斜視図
【図３】同じく収納鞄単体の断面図
【図４】同じくパソコンを仮想線で表して収納鞄のクッション材で挟んだ状態の断面図
【図５】同じくパソコンをクッション材で挟んでスライドファスナを途中まで閉めた状態の断面図
【図６】同じくパソコンをクッション材で挟んでスライドファスナを完全に閉じた状態の断面図
【図７】別の実施形態を示す収納鞄単体の断面図
【図８】さらに別の実施形態を示し、鞄本体を開放した状態の斜視図
【符号の説明】
【００３５】
１…収納鞄、２…パソコン、４Ａ，４Ｂ…クッション材、５…スライドファスナ、５ａ…スライダ、５ｂ，５ｃ…エレメント、１１…一側矩形本体、１２…他側矩形本体、１３，１４…テープ部、１５…つなぎ生地、１６…マット体部、１７…凸部、１８…凸部群
【図１】
0003126048.tif 000003
【図２】
0003126048.tif 000004
【図３】
0003126048.tif 000005
【図４】
0003126048.tif 000006
【図５】
0003126048.tif 000007
【図６】
0003126048.tif 000008
【図７】
0003126048.tif 000009
【図８】
0003126048.tif 000010